(57)【要約】      （修正有）【課題】観賞魚の観賞効果を高めるようにした濾過器付の水槽セットを提供する。【解決手段】水槽本体１内に、濾過器Ｆを備えた濾過器付水槽セットであって、水槽本体１は、貯留水が貯留されて上面開放の器状に形成され、その内部に濾過器Ｆが設置され、水槽本体１と濾過器Ｆの濾過ケース１０が、いずれも同色で不透明に形成される。【選択図】図１
2020130033.tif 000002
【特許請求の範囲】
【請求項１】
水槽本体（１）内に、該水槽本体（１）内の貯留水を循環濾過する濾過器（Ｆ）を備えた、濾過器付水槽セットであって、
前記水槽本体（１）は、観賞魚を飼育すべく貯留水が貯留されて、上面開放の器状に形成され、その内部に前記濾過器（Ｆ）が設置され、前記水槽本体（１）と前記濾過器（Ｆ）の濾過ケース（１０）は、いずれも同色で不透明に形成されることを特徴とする濾過器付水槽セット。
【請求項２】
前記水槽本体（１）の開放上面（２）は、透明な蓋板（７）により開閉可能に閉じられることを特徴とする、前記請求項１に記載の、濾過器付水槽セット。
【請求項３】
前記水槽本体（１）は、器状に形成されており、そのコーナ部（３）は外方に向けて凸の円弧状に形成され、その凹状内部に、前記濾過器（Ｆ）の、エアポンプ（Ｐ）に連なる給気通路（１３）の外端（１３1 ）が臨むことを特徴とする、前記請求項１または２に記載の、濾過器付水槽セット。
【発明の詳細な説明】
【技術分野】
【０００１】
本発明は、金魚、熱帯魚、海水魚等の観賞魚の飼育用の濾過器付水槽セットに関する。
【背景技術】
【０００２】
従来、水槽内で観賞魚を飼育、育成するのに、水槽内の適所に濾過器を設置して、その濾過器の作動により、水槽内の貯留水を循環して濾過するようにした、濾過器付水槽セットは公知である（たとえば、後記特許文献１参照）。
【先行技術文献】
【特許文献】
【０００３】
【特許文献１】特開２０１５−１０４３４８号公報
【発明の概要】
【発明が解決しようとする課題】
【０００４】
ところで、従来の濾過器付の水槽セットでは、水槽内の底面適所に濾過器を設置し、この濾過器にエアパイプを介してエアポンプを連通し、このエアポンプからの加圧エアにより、濾過器を作動して水槽内の貯留水を循環濾過するとともに水槽内にエアを噴出して貯留水をエアレイションするようにしている。
【０００５】
ところで、かかる従来の濾過器付の水槽セットでは、水槽の水槽本体は、観賞魚を観賞し易くするため透明に形成されていて、観賞魚の外、水槽内に設置されている濾過器を、水槽の外から透視できるようにされており、観賞魚を観賞したい観賞者にとって濾過器（特に観賞するために作られていない）が目障りとなり、観賞効果の妨げとなるという問題がある。
【０００６】
本発明は、かかる実情に鑑みてなされたもので、水槽本体内に設置される濾過器が、水槽の外から見えにくくなるようにして観賞魚の観賞効果を高めるようにした、新規な濾過器付水槽セットを提供することを目的とする。
【課題を解決するための手段】
【０００７】
前記目的達成のため、請求項１に記載の発明は、水槽本体内に、該水槽本体内の貯留水を循環濾過する濾過器を備えた、濾過器付水槽セットであって、
水槽本体は、観賞魚を飼育すべく貯留水が貯留されて、上面開放の器状に形成され、その内部に前記濾過器が設置され、前記水槽本体と前記濾過器の濾過ケースは、いずれも同色で不透明に形成されることを第１の特徴としている。
【０００８】
前記目的達成のため、請求項２に記載の発明は、前記請求項１に記載のものにおいて、前記水槽本体の開放上面は、透明な蓋板により開閉可能に閉じられることを第２の特徴としている。
【０００９】
前記目的達成のため、請求項３に記載の発明は、前記請求項１または２に記載のものにおいて、前記水槽本体は器状に形成されており、そのコーナ部は外方に向けて凸の円弧状に形成され、その凹状内部に、前記濾過器の、エアポンプに連なる給気通路の外端が臨むことを第３の特徴としている。
【発明の効果】
【００１０】
請求項１に記載の発明によれば、水槽本体は、観賞魚を飼育すべく貯留水が貯留されて、上面開放の器状に形成され、その内部に前記濾過器が設置され、水槽本体と濾過器の濾過ケースは、いずれも同色で不透明に形成されるので、観賞魚を観賞する観賞者にとって目障りな濾過器を見にくくすることができて、観賞魚の観賞効果が高められる。
【００１１】
請求項２に記載の発明によれば、水槽本体の開放上面は、透明な蓋板により開閉可能に閉じられるので、観賞者は水槽本体の上方から目障りな濾過器を見にくくしながら観賞魚を観賞することができる。
【００１２】
請求項３に記載の発明によれば、水槽本体のコーナ部の凹状内部に、濾過器の給気通路外端が臨むようにしているので、濾過器を水槽本体内のコーナ部の凹状内部に近付けて配置することができ、濾過器を水槽本体の外部から一層見にくくすることができる。
【図面の簡単な説明】
【００１３】
【図１】本発明濾過器付水槽セットの全体斜視図
【図２】図１の２−２線に沿う平面図
【図３】図２の３−３線に沿う拡大断面図
【発明を実施するための形態】
【００１４】
以下、本発明の実施形態を添付図面１〜３に基づいて説明する。
【００１５】
図１、２に示すように、本発明に係る濾過器付水槽セットは、水槽Ｖと、その内部底面に設置される濾過器Ｆとよりなる。
【００１６】
水槽Ｖの水槽本体１は、その上面２が開放されて方形状の器体により構成され、不透明なガラス材、またはプラスチック材により一体に形成され、適宜な色（後述する濾過器の濾過ケースと同色）に着色されている。水槽本体１の開放上面２は、透明な蓋板７により開閉可能に閉じられる。
【００１７】
水槽本体１の四つのコーナ部３…は、外向きに凸の円弧状に形成されている。また水槽本体１の底面には適宜砂利５が敷設される。
【００１８】
水槽本体１内の底部に設置される、濾過器Ｆは、その濾過ケース１０が、前記水槽本体１と同色で不透明に形成される点に特徴がある。
【００１９】
図３に示すように、前記濾過器Ｆは、不透明なプラスチック材により八角形状に形成される濾過ケース１０内に、濾過材１１と、重錘として機能する小石１２が収容されている。
【００２０】
前記濾過ケース１０の底部には、給気通路１３が形成され、この給気通路１３の外端１３1 は、濾過ケース１０の外方に突出されてエアパイプ１４を介して水槽本体１の外に配置されるエアポンプＰに連通されている。エアポンプＰからの加圧エアは、給気通路１３の出口に設けたエアストン１７、濾過材１１内の濾過室１５を通って外部に放散される。
【００２１】
エアポンプＰからの加圧エアは、エアパイプ１４、給気通路１３を通り、エアストン１７を通って濾過室１５内に気泡状に噴出され、その噴出エアは濾過室１５内を上昇し、それに伴って濾過室１５内の貯留水が吸い上げられて気流と共に排出管１６を通って水槽Ｖ内に戻される。これにより、水槽Ｖ内の貯留水は、濾過材１１により濾過される。
【００２２】
水槽Ｖ内には、濾過器Ｆが設置される。この場合、濾過器Ｆは、水槽本体１のコーナ部３に偏らせて配置される。すなわち、濾過ケース１０の給気通路１３の、外方に突出する外端１３1 を、水槽本体１の、外方に向けて凸のコーナ部３の内側の円弧状凹部に位置させる。これにより、濾過器Ｆを水槽本体１のコーナ部３に可及的に近付けて配置することができ、観賞用には作られていない濾過器Ｆを水槽Ｖの上方から見にくくすることができ、水槽Ｖの開口上面２より、水槽Ｖ内を遊泳する観賞魚Ａを観賞することができる。
【００２３】
そして、水槽本体１と、濾過器Ｆの濾過ケース１０は、同色で、不透明に形成されるので、外方から観賞用に作られていない濾過器Ｆを見づらくして、観賞魚Ａの観賞効果が一層高められる。
【００２４】
また、前述したように、濾過器Ｆは、水槽本体１内のコーナ部３に近接して配置されるので、観賞者は水槽本体１内の濾過器Ｆを見にくくすることができ、観賞効果を一層高めることができる。
【００２５】
なお、水槽本体１および濾過器Ｆの濾過ケース１０は、同色で不透明であれば、何色でもよい。
【００２６】
以上、本発明の実施形態について説明したが、本発明はその実施形態に限定されることなく、本発明の範囲内で種々の他の実施形態が可能である。たとえば、濾過器Ｆの濾過構造は、前記実施形態のものに限定されない。
【符号の説明】
【００２７】
１・・・・・水槽本体
２・・・・・開放上面
３・・・・・コーナ部
７・・・・・蓋板
１０・・・・・濾過ケース
１３・・・・・給気通路
１３1 ・・・・外端（給気通路１３の）
Ｆ・・・・・濾過器
Ｐ・・・・・エアポンプ
【図１】
2020130033.tif 000003
【図２】
2020130033.tif 000004
【図３】
2020130033.tif 000005